(57)【要約】      （修正有）【課題】密閉構造と非密閉構造の選択を容易として共用でき、かつ密閉性を高めた容器の提供。【解決手段】底部と、上縁に水平鍔部１１０を形成した周壁面とからなるボックス本体１００と、ボックス本体１００に被せる蓋体２００と、ボックス本体１００と蓋体２００を閉鎖状態に圧接可能な結合部材３００からなる容器において、蓋体２００内面には先端が該水平鍔部１１０と接する凸条リブ２０５と、凸条リブ２０５と並んで配置されたシール材収容部２５０が設けられた蓋付きボックス。【選択図】図1
0003117305.tif 000002
【実用新案登録請求の範囲】
【請求項１】
底部と、上縁に水平鍔部を形成した周壁面とからなるボックス本体と、該ボックス本体に被せる蓋体と、該ボックス本体と該蓋体を閉鎖状態に圧接可能な結合部材からなる容器において、該蓋体内面には先端が該水平鍔部と接する凸条リブと、該凸条リブと並んで配置されたシール材収容部が設けられたことを特徴とする蓋付きボックス。
【請求項２】
シール材収容部は該凸条リブを一側面とすることを特徴とする請求項１に記載の蓋付きボックス。
【請求項３】
該シール材収容部には該水平鍔部に当接前には該凸条リブより突出し、当接後には凸条リブ高さとほぼ同等となるシール部材を挿入したことを特徴とする請求項１又は請求項２に記載の蓋付きボックス。
【請求項４】
凸条リブは該水平鍔部に直立する方向に設けられたことを特徴とする請求項１〜３項のいずれか１項に記載の蓋付きボックス。
【考案の詳細な説明】
【技術分野】
【０００１】
本考案は、収納物を密閉して保管することができる密閉ボックスに関し、特にボックス本体と蓋体の閉鎖構造に関するものである。
【背景技術】
【０００２】
従来、本体と蓋体からなる蓋付容器が知られている。それらは別体の蓋止着装置で固定される構造となっている。
【０００３】
補強壁には起伏自在にストッパー杆を設け、ストッパー杆の中杆部に係止筒を回動自在に設けており、ストッパーの係止筒を蓋の上面に係合し蓋を止着している。（例えば、特許文献１参照）。
【特許文献１】実公平４−１７４９７号公報
【考案の開示】
【考案が解決しようとする課題】
【０００４】
前述した蓋付容器は、ストッパーを用いて止着してはいるものの、密閉性は十分でなく、内部を密閉して利用したい場合には別に内袋に収容したり、別な密閉性のある箱に移し変える必要があった。
また、蓋付容器では用途に応じて内部を密閉する構造（密閉構造）と、密閉しない構造（非密閉構造）が市場では要求され、生産者はそれぞれの構造の蓋付容器を製造しなければならず、成形品の金型代も２製品分になってしまった。
【０００５】
本考案は、上記の事情に鑑みてなされたもので、密閉構造と非密閉構造を供用できる蓋付きボックスを提供することを目的とする。
【課題を解決するための手段】
【０００６】
前記課題を解決するため請求項１記載の考案にあっては、底部と、上縁に水平鍔部を形成した周壁面とからなるボックス本体と、該ボックス本体に被せる蓋体と、該ボックス本体と該蓋体を閉鎖状態に圧接可能な結合部材からなる容器において、該蓋体内面には先端が該水平鍔部と接する凸条リブと、該凸条リブと並んで配置されたシール材収容部が設けられたことを特徴とする蓋付きボックスとからなる。
【０００７】
また、請求項２記載の考案にあっては、シール材収容部は該凸条リブを一側面とする蓋付きボックスとからなる。
【０００８】
また、請求項３記載の考案にあっては、シール材収容部には水平鍔部に当接前には該凸条リブより突出し、当接後には凸条リブ高さとほぼ同等となるシール部材を挿入した蓋付きボックスとからなる。
【０００９】
また、請求項４記載の考案にあっては、凸条リブは該水平鍔部に直立する方向に設けられた蓋付きボックスとからなる。
【考案の効果】
【００１０】
請求項１に記載の考案によれば、蓋体にシール部材を着脱するだけで密閉構造と非密閉構造の双方に対応できる蓋付きボックスを実現することができる。
また、蓋体の内面には先端が水平鍔部と接する凸条リブが設けられているため、シール部材を挿入しない場合であってもある程度の密閉性を確保することができる。
【００１１】
請求項２に記載の考案によれば、凸条リブを利用してシール材収容部を形成できるため構成が簡単となり、また密閉性をより高めた蓋付きボックスが実現できる。
【００１２】
請求項３に記載の考案によれば、凸条リブとシール材があいまって、密閉性が向上するとともにより操作性を高めた蓋付きボックスが実現できる。
【００１３】
請求項４に記載の考案によれば、凸条リブ単独でもある程度の密閉性を確保することができ、また操作性を高めた蓋付きボックスが実現できる。
【考案を実施するための最良の形態】
【００１４】
以下、本考案の一実施形態を図に従って説明する。図１及び図２は本考案のボックスの正面断面図とその拡大図であり、図３及び図４は本考案のボックスの正面図及び側面図である。図５及び図６は本考案の蓋体の正面図および背面図である。図７及び図８は本考案の蓋体の側面図と断面図である。
【００１５】
ボックス本体１００と蓋体２００はプラスチック製であり、それぞれが射出成形された部材である。ボックス本体１００は底板１５０と底板に連なる周壁面１６０を構成する４つの側板１６５を有している。底板形状は矩形や円形または楕円形のようにさまざまな形にすることができるが本実施例では矩形状の底面で説明する。
【００１６】
４枚の側板１６５は上縁全周に水平鍔部１１０を有している。水平鍔部１１０の幅はおよそ５〜５０ｍｍ程度とすることができるが、密閉性の観点から８ｍｍ以上が望ましい。水平鍔部１１０は側板１６５の上縁から外側に逆L字型に折り曲げたり、T字型に折り曲げた鍔部であり水平方向に延在して設けられる。
【００１７】
水平鍔部１１０は、水平に設けられている構成が望ましいが、平坦な平面を有する構造であれば、水平方向から多少傾斜角度を有する平面となってもかまわない。ただし、傾斜が設けられた鍔部を用いる場合には、後述する蓋体２００の内面に設けられた凸条リブ２０５とシール材収容部２５０の鍔部に接する先端形状を鍔部の傾斜角度に応じて変形させなければならない。
【００１８】
水平鍔部１１０の先端は必要に応じて、再び下方に屈曲させた折り返し壁部１４０と、そこからさらに上方に折り返す外側壁部１４５を形成し、把手部として兼用することもできる。
【００１９】
側板１６５の外周には縦方向リブ１８０を複数設けてある。この縦方向リブ１８０は対向する側板１６５の外側に少なくとも一対づつ設けられる。縦方向リブ１８０の上部には軸受用穴１８５が設けられており、結合部材３００の軸受けとなる。
【００２０】
蓋体２００は蓋板２１０と蓋側壁２１５からなる。蓋側壁２１５は蓋体２００をボックス本体１００に被せた状態でボックス本体１００の折り返し壁部１４０と外側壁部１４５の外周を覆うように蓋板２１０よりも下方に屈曲した壁である。
【００２１】
蓋体２００の内面には蓋をボックス本体１００に被せた状態で、ボックス本体１００の水平鍔部１１０に接するように凸条リブ２０５が水平鍔部１１０に直立する方向でかつ、ほぼ全周に亘り形成されている。
【００２２】
凸条リブ２０５は全周に亘りほぼ閉じたループ構造となっていることが望ましいが、密閉性や強度等を確保できる場合には、凸条の一部を切り欠いた欠落部のある凸条形状とすることも可能である。
【００２３】
凸条リブ２０５の蓋板２１０からの高さは、およそ５〜２０ｍｍ程度、幅は０．１〜１０ｍｍ程度とすることができる。リブの高さと幅は蓋体２００をボックス本体１００に圧接した場合の密閉性を考慮した中で決定される。
【００２４】
蓋板２１０の内面には水平方向に凸条リブ２０５と並んで、シール材収容部２５０が設けられる。
【００２５】
凸条リブ２０５とシール材収容部２５０を隣接して配置した場合には、シール材収容部２５０の側面を凸条リブ２０５と兼用することができる。
【００２６】
その場合両者は並んで配置されるので、密閉効果が凸条リブ２０５と後述するシール材２２０の両者で発揮され、密閉性を高める効果がある。
【００２７】
シール材収容部２５０には容器を密封するためのシール材２２０を着脱自在としてある。シール材２２０の例としては、シリコン、塩化ビニル、酢酸ビニル等の弾性プラスチックやゴムにて形成された断面が中空若しくは中実、又は矩形、円形若しくは楕円形等のものが使用でき、必要に応じてそれを着脱して用いることができる。
【００２８】
シール材収容部２５０の開口側には、脱落防止用リブ（図示せず）を設けることでシール材２２０が蓋体２００から離脱するのを防止することができる。
【００２９】
シール材２２０は高さ及び幅が２〜３０ｍｍ程度でシール材収容部２５０に装填した状態では、凸条リブ２０５よりも０.０１〜１０ｍｍ程度突出した状態としておく。
蓋体２００がボックス本体１００に被せられ、後述の結合部材３００で圧接された状態では凸条リブ２０５の高さと同程度となるように設定してある。この構成とすることで、シール材２２０が不用意にシール材収容部からはみ出すトラブルを防ぐことができる。
【００３０】
結合部材３００は蓋体２００とボックス本体１００を圧接した状態で保持するための部材である。蓋体２００とボックス本体１００間を圧接状態で保持できる構成であれば結合部材３００の形状は特に限定されるものではないが、以下の構成のような部材を用いることができる。
【００３１】
結合部材３００としては金属製で水平方向に延びる中央杆３１０と、該中央杆３１０から屈曲する結合材基部３２０と、該結合材基部３２０から再び屈曲した端部３２５を有する略コの字型の部材である。中央杆３１０には係止筒３３０が回転自在に遊嵌されている。結合部材３００の端部３２５は、ボックス本体１００に設けられた一対の縦方向リブ１８０上部に設けられた軸受用穴１８５に挿入されている。この結合部材３００を蓋体２００方向に回動し、蓋体２００の段部２２５に係止筒３００を圧接した圧接状態と、段部から外れた非圧接状態とすることができる。
【００３２】
上記の構成からなる蓋付きボックスを密閉構造、非密閉構造となるように選択して用いる。
【００３３】
密閉構造の場合には、蓋体２００に予めシール２２０材を挿入し蓋体２００をボックス本体１００に被せ、結合部材３００を蓋側に移動させ、密封状態とする。その場合、水平鍔部１１０に凸条リブ２０５先端が接する状態で圧接されるために、結合部材３００との間で適度のテンションを得られ、密閉性を高めることができる。シール材２２０と凸条リブ２０５が協働してボックスの密閉性と操作性をアップする。（シール材２２０と凸条リブ２０５が並んで配置されているため密閉効果が２重となり、シール材２２０と凸条リブ２０５は結合部材３００によって圧接された場合、それぞれが高さ方向の弾性を発揮し結合部材３００の操作感（クリック感）を生じさせることができる。
【００３４】
また、密閉されることで塵や埃などの外部からの異物の侵入防止にも役立ち、ボックスとしての利便性が向上する。
【００３５】
シール材収容部２５０は該凸条リブ２０５を一側面とすることでより弾性を発揮できるようになるため密閉性を向上させることができる。
【００３６】
非密閉構造の場合にも、蓋体２００から予めシール部材を抜き取った蓋体２００をボックス本体１００に被せることで通気性のある蓋付きボックスとすることができる。そして、シール材２２０を抜き取ってもシール材２２０が蓋のロック構造に影響を与えない位置に配置されているから、蓋のロックが可能な構成で、結合部材３００が十分に機能するようになっており、密閉構造、非密閉構造の共用化がはかれる。
【図面の簡単な説明】
【００３７】
【図１】本考案の一実施の形態にかかる蓋付きボックスの断面図である。
【図２】同蓋付きボックスの拡大断面図である。
【図３】同蓋付きボックス正面図である。
【図４】同蓋付きボックス側面図である。
【図５】同蓋体の正面図である。
【図６】同蓋体の背面図である。
【図７】同蓋体の側面図である。
【図８】同蓋体の断面図である。
【符号の説明】
【００３８】
１００  ボックス本体
１１０  水平鍔部
１４０  折り返し壁部
１４５  外側壁部
１５０  底板
１６０  周壁面
１６５  側板    
１８０  縦方向リブ
１８５  軸受用穴
２００  蓋体
２０５  凸条リブ
２１０  蓋板
２１５  蓋側壁
２２０  シール材
２２１  側板部
２２５  段部
２３０  上板部
２４０  凸条リブ
２５０  シール材収容部  
３００  結合部材
３１０  中央杆
３２０  結合材基部
３２５  端部
３３０  係止筒
【図１】
0003117305.tif 000003
【図２】
0003117305.tif 000004
【図３】
0003117305.tif 000005
【図４】
0003117305.tif 000006
【図５】
0003117305.tif 000007
【図６】
0003117305.tif 000008
【図７】
0003117305.tif 000009
【図８】
0003117305.tif 000010